(57)【要約】【課題】複眼撮像装置において、受光素子アレイに形成される像にゴースト等が生じることを防止する。【解決手段】複眼撮像装置１は、複数の光学レンズ２が一体的に形成された光学レンズアレイ４と、絞り開口１１ａを有する上板部材１１と、複数の光学レンズ２によりそれぞれ形成される複数の像を撮像する受光素子アレイ６と、各光学レンズ２から出射する光Ａが互いに干渉しないように区画する光透過孔Ｈを有する遮光ブロック７とを備える。遮光ブロック７は、複数の光透過窓Ｗを有する単位プレートＰを複数枚積層されて構成される。単位プレートＰは、表面をシボ加工されると共に、積層されるときに左右方向への裏返し及び上下方向への裏返しを施されることによって光透過窓Ｗの平面方向における位置が層ごとにずらされる。光透過窓Ｗがずらされることによって、光透過孔Ｈの内壁面Ｈａが凹凸を有する光拡散面に形成され、ゴースト等が生じることが防止される。【選択図】図３
2007329714.tif 000002
【特許請求の範囲】
【請求項１】
複数の光学レンズが一体的に形成された光学レンズアレイと、
前記光学レンズへの不要な外光入射を遮断するための絞り部材と、
前記光学レンズアレイから所定距離隔てて配置され、前記複数の光学レンズによりそれぞれ形成される複数の像を撮像する受光素子アレイと、
前記光学レンズアレイと前記受光素子アレイとの間に配置され、前記複数の光学レンズのうちの各光学レンズから出射する光が互いに干渉しないように前記光学レンズアレイと前記受光素子アレイとの間の空間を前記光学レンズの光軸に直交する面上において区画する光透過孔を有する遮光ブロックと、を備える複眼撮像装置において、
前記遮光ブロックが、前記複数の光学レンズから出射する光を透過させる複数の光透過窓を有する単位プレートを複数枚積層されて構成され、
前記単位プレートは、表面を黒色シボ加工されると共に、積層されるときに左右方向への裏返し及び上下方向への裏返しを施されることによって前記光透過窓の平面方向における位置が層ごとにずらされて、積層された前記単位プレートの光透過窓によって形成される前記光透過孔の内壁面が凹凸を有する光拡散面に形成され、
前記光学レンズから出射して前記光透過孔に進入する光が前記内壁面によって反射されて前記受光素子アレイに形成された像にゴーストやフレアが生じることが防止されることを特徴とする複眼撮像装置。
【請求項２】
複数の光学レンズが一体的に形成された光学レンズアレイと、
前記光学レンズへの不要な外光入射を遮断するための絞り部材と、
前記光学レンズアレイから所定距離隔てて配置され、前記複数の光学レンズによりそれぞれ形成される複数の像を撮像する受光素子アレイと、
前記光学レンズアレイと前記受光素子アレイとの間に配置され、前記複数の光学レンズのうちの各光学レンズから出射する光が互いに干渉しないように前記光学レンズアレイと前記受光素子アレイとの間の空間を前記光学レンズの光軸に直交する面上において区画する光透過孔を有する遮光ブロックと、を備える複眼撮像装置において、
前記遮光ブロックが、前記複数の光学レンズから出射する光を透過させる複数の光透過窓を有する単位プレートを複数枚積層されて構成され、
前記単位プレートは、表面を黒色シボ加工されると共に、前記光透過窓の大きさが層ごとに異なった大きさに形成されて、積層された前記単位プレートの光透過窓によって形成される前記光透過孔の内壁面が凹凸を有する光拡散面に形成され、
前記光学レンズから出射して前記光透過孔に進入する光が前記内壁面によって反射されて前記受光素子アレイに形成された像にゴーストやフレアが生じることが防止されることを特徴とする複眼撮像装置。
【請求項３】
複数の光学レンズが一体的に形成された光学レンズアレイと、
前記光学レンズへの不要な外光入射を遮断するための絞り部材と、
前記光学レンズアレイから所定距離隔てて配置され、前記複数の光学レンズによりそれぞれ形成される複数の像を撮像する受光素子アレイと、
前記光学レンズアレイと前記受光素子アレイとの間に配置され、前記複数の光学レンズのうちの各光学レンズから出射する光が互いに干渉しないように前記光学レンズアレイと前記受光素子アレイとの間の空間を前記光学レンズの光軸に直交する面上において区画する光透過孔を有する遮光ブロックと、を備える複眼撮像装置において、
前記遮光ブロックが、前記複数の光学レンズから出射する光を透過させる複数の光透過窓を有する単位プレートを複数枚積層されて構成され、
積層された前記単位プレートの光透過窓によって形成される前記光透過孔の内壁面が凹凸を有する光拡散面に形成され、
前記光学レンズから出射して前記光透過孔に進入する光が前記内壁面によって反射されて前記受光素子アレイに形成された像にゴーストやフレアが生じることが防止されることを特徴とする複眼撮像装置。
【請求項４】
前記単位プレートの光透過窓は、その縁部がテーパ形状になっていることを特徴とする請求項３に記載の複眼撮像装置。
【発明の詳細な説明】
【技術分野】
【０００１】
本発明は、撮像のための光学系を複数の微小な光学系により構成することによって焦点距離を短縮し薄型化を図ることができる複眼撮像装置に関する。
【背景技術】
【０００２】
携帯電話やパソコン等に組み込む薄型のカメラモジュールとして複眼撮像装置が開発されている。複眼撮像装置は、複数の光学レンズが集積された光学レンズアレイと、光学レンズアレイの各光学レンズによって形成される複数の像を撮像する受光素子アレイと、受光素子アレイによって撮像された複数の画像から各画像の視差情報を利用して１つの画像を再構成する画像再構成回路とから主に構成される。
【０００３】
また、光学レンズアレイと受光素子アレイとの間に、複数の光学レンズから受光素子アレイへと出射される光が互いに干渉しないように区画する遮光ブロックが配置された画像入力装置が知られている（例えば、特許文献１参照）。
【０００４】
一方、ＣＣＤラインセンサユニットにおけるレンズアレイ装置において、レンズアレイを保持するレンズホルダの内面が黒色樹脂で形成されたり粗面化処理を施され、レンズホルダ内における反射防止が図られている装置が知られている（例えば、特許文献２参照）。
【０００５】
また、複数枚のレンズアレイを組合わせて拡大画像を得る光学装置において、レンズアレイの間に挿入される中間絞りアレイが黒い塗料を混合した樹脂を用いて構成された装置が知られている（例えば、特許文献３参照）。
【特許文献１】特開２００１−６１１０９号公報
【特許文献２】特開２００４−２９４２７０号公報
【特許文献３】特開平１０−２５３９２０号公報
【発明の開示】
【発明が解決しようとする課題】
【０００６】
ここで従来の一般的な複眼撮像装置の構造について、図１０を参照して説明する。一般的な複眼撮像装置１００は、複数の光学レンズ１０２が一体的に形成された光学レンズアレイ１０４と、光学レンズ１０２への不要な外光入射を遮断するための絞り部材１１１と、光学レンズアレイ１０４から所定距離隔てて配置され、複数の光学レンズ１０２によりそれぞれ形成される複数の像を撮像する受光素子アレイ１０６と、光学レンズアレイ１０４と受光素子アレイ１０６との間に配置され、複数の光学レンズ１０２のうちの各光学レンズ１０２から出射する光Ａが互いに干渉しないように区画する遮光ブロック１０７とを備える。光学レンズアレイ１０４は、ホルダ部材１０５によって支持される。
【０００７】
遮光ブロック１０７は、所定の厚みの板状材に、光学レンズアレイ１０４の各光学レンズ１０２に対向するように複数の光透過孔Ｈが開けられたものである。光透過孔Ｈは、金属板上にレーザ加工によって形成される。また、遮光ブロック１０７として光硬化樹脂を用いて造形された板状材料が用いられる場合もある。
【０００８】
上記の複眼撮像装置１００において、光学レンズ１０２から出射して受光素子アレイ１０６に向かう光Ａのうち光透過孔Ｈの内壁面Ｈａによって反射される光が受光素子アレイ６に到達して受光素子アレイ６に形成された像にゴーストやフレアを生じる問題がある。
【０００９】
そこで、本発明は、光学レンズから出射した光のうち遮光ブロックに開けられた光透過孔の内壁面によって反射される光が受光素子アレイに到達して受光素子アレイに形成された像にゴーストやフレアを生じることを防止することが可能な複眼撮像装置を提供することを目的とする。
【課題を解決するための手段】
【００１０】
上記目的を達成するために、請求項１の発明は、複数の光学レンズが一体的に形成された光学レンズアレイと、前記光学レンズへの不要な外光入射を遮断するための絞り部材と、前記光学レンズアレイから所定距離隔てて配置され、前記複数の光学レンズによりそれぞれ形成される複数の像を撮像する受光素子アレイと、前記光学レンズアレイと前記受光素子アレイとの間に配置され、前記複数の光学レンズのうちの各光学レンズから出射する光が互いに干渉しないように前記光学レンズアレイと前記受光素子アレイとの間の空間を前記光学レンズの光軸に直交する面上において区画する光透過孔を有する遮光ブロックと、を備える複眼撮像装置において、前記遮光ブロックが、前記複数の光学レンズから出射する光を透過させる複数の光透過窓を有する単位プレートを複数枚積層されて構成され、前記単位プレートは、表面を黒色シボ加工されると共に、積層されるときに左右方向への裏返し及び上下方向への裏返しを施されることによって前記光透過窓の平面方向における位置が層ごとにずらされて、積層された前記単位プレートの光透過窓によって形成される前記光透過孔の内壁面が凹凸を有する光拡散面に形成され、前記光学レンズから出射して前記光透過孔に進入する光が前記内壁面によって反射されて前記受光素子アレイに形成された像にゴーストやフレアが生じることが防止されることを特徴とする。
【００１１】
請求項２の発明は、複数の光学レンズが一体的に形成された光学レンズアレイと、前記光学レンズへの不要な外光入射を遮断するための絞り部材と、前記光学レンズアレイから所定距離隔てて配置され、前記複数の光学レンズによりそれぞれ形成される複数の像を撮像する受光素子アレイと、前記光学レンズアレイと前記受光素子アレイとの間に配置され、前記複数の光学レンズのうちの各光学レンズから出射する光が互いに干渉しないように前記光学レンズアレイと前記受光素子アレイとの間の空間を前記光学レンズの光軸に直交する面上において区画する光透過孔を有する遮光ブロックと、を備える複眼撮像装置において、前記遮光ブロックが、前記複数の光学レンズから出射する光を透過させる複数の光透過窓を有する単位プレートを複数枚積層されて構成され、前記単位プレートは、表面を黒色シボ加工されると共に、前記光透過窓の大きさが層ごとに異なった大きさに形成されて、積層された前記単位プレートの光透過窓によって形成される前記光透過孔の内壁面が凹凸を有する光拡散面に形成され、前記光学レンズから出射して前記光透過孔に進入する光が前記内壁面によって反射されて前記受光素子アレイに形成された像にゴーストやフレアが生じることが防止されることを特徴とする。
【００１２】
請求項３の発明は、複数の光学レンズが一体的に形成された光学レンズアレイと、前記光学レンズへの不要な外光入射を遮断するための絞り部材と、前記光学レンズアレイから所定距離隔てて配置され、前記複数の光学レンズによりそれぞれ形成される複数の像を撮像する受光素子アレイと、前記光学レンズアレイと前記受光素子アレイとの間に配置され、前記複数の光学レンズのうちの各光学レンズから出射する光が互いに干渉しないように前記光学レンズアレイと前記受光素子アレイとの間の空間を前記光学レンズの光軸に直交する面上において区画する光透過孔を有する遮光ブロックと、を備える複眼撮像装置において、前記遮光ブロックが、前記複数の光学レンズから出射する光を透過させる複数の光透過窓を有する単位プレートを複数枚積層されて構成され、積層された前記単位プレートの光透過窓によって形成される前記光透過孔の内壁面が凹凸を有する光拡散面に形成され、前記光学レンズから出射して前記光透過孔に進入する光が前記内壁面によって反射されて前記受光素子アレイに形成された像にゴーストやフレアが生じることが防止されることを特徴とする。
【００１３】
請求項４の発明は、請求項３の発明において、前記単位プレートの光透過窓は、その縁部がテーパ形状になっていることを特徴とする。
【発明の効果】
【００１４】
請求項１の発明によれば、複眼撮像装置において遮光ブロックの光透過孔の内壁面が凹凸を有する光拡散面に形成されるので、光学レンズから出射した光のうち光透過孔の内壁面に反射する光が受光素子アレイに到達して受光素子アレイに形成された像にゴーストやフレアを生じることが防止される。また、同一形状の単位プレートが左右方向への裏返し及び上下方向への裏返しを施されて積層されることによって光透過窓の平面方向における位置がずらされて内壁面に凹凸が形成されるので、異なる形状の単位プレートを積層することによって内壁面に凹凸を形成した場合に比べて、遮光ブロックの製造コストを安くすることができる。さらに、遮光ブロックが単位プレートを複数枚積層されて構成されるので、単位プレートの枚数を変更することによって遮光ブロックの高さを調整して、光学レンズアレイと受光素子アレイの間隔を最適の長さに調整することが容易である。
【００１５】
請求項２乃至請求項４の発明によれば、複眼撮像装置において遮光ブロックの光透過孔の内壁面が凹凸を有する光拡散面に形成されるので、光学レンズから出射した光のうち光透過孔の内壁面によって反射される光が受光素子アレイに到達して受光素子アレイに形成された像にゴーストやフレアを生じることが防止される。また、遮光ブロックが単位プレートを複数枚積層されて構成されるので、単位プレートの枚数を変更することによって遮光ブロックの高さを調整して光学レンズアレイと受光素子アレイの間隔を最適の長さに調整することが容易である。
【発明を実施するための最良の形態】
【００１６】
（第１の実施形態）
本発明を実施するための第１の実施形態について、図１乃至図５を参照して説明する。本実施形態の複眼撮像装置１は、図１、図３及び図４に示されるように、光軸Ｌが互いに平行である３行３列の９個の光学レンズ２が１枚の透明基板３の下面に片凸レンズとして一体的に形成された光学レンズアレイ４と、光学レンズアレイ４を上下から挟込むようにして保持するホルダ部材５と、光学レンズアレイ４の下方に配置され、各光学レンズ２によってそれぞれ形成される９個の像を撮像する受光素子アレイ６と、光学レンズアレイ４と受光素子アレイ６との間に配置され、各光学レンズ２から出射する光Ａが互いに干渉しないように光学レンズアレイ４と受光素子アレイ６との間の空間を光軸Ｌに直交する面上において区画する光透過孔Ｈを有する遮光ブロック７と、遮光ブロック７と受光素子アレイ６との間に配置され、受光素子アレイ６の周囲を額縁状に取囲んで受光素子アレイ６に遮光ブロック７が当たらないように設置するためのスペーサである枠部材８とを備えている。また、光学レンズ２は、透明基板３と一体成形されたものに限らず、支持ホルダによって２次元平面上に配列されたものであってもよい。
【００１７】
ホルダ部材５は、図３及び図４に示されるように、上板部材１１と、光学レンズアレイ４の縁部が嵌合される溝が形成された下枠部材１２とから構成される。上板部材１１は、各光学レンズ２に対応する９箇所の位置に所定の大きさの絞り開口１１ａが形成されて、光学レンズ２への不要な外光入射を遮断する絞り部材として構成される。
【００１８】
受光素子アレイ６は、ＣＣＤ（Ｃｈａｒｇｅ  Ｃｏｕｐｌｅｄ  Ｄｅｖｉｃｅ）等の半導体から構成され、フレキシブル基板１３の一端の方形部１３ａ上に搭載される。フレキシブル基板１３の他端には、受光素子アレイ（ＣＣＤ）６から延びる信号線の端子１４が形成される。
【００１９】
ホルダ部材５、遮光ブロック７、枠部材８、及びフレキシブル基板１３の方形部１３ａは、図１に示されるように、それぞれ同一の大きさの方形状に形成され、４つの角部に位置決めピン１００が挿通される円形孔５ａ、７ａ、８ａ、１３ｂが形成される。なお、遮光ブロック７の側面と枠部材８の側面には、それぞれ接着剤が充填される凹部（切欠き部）が形成され（図示省略）、組立て時の遮光ブロック７を構成する単位プレートＰ同士、及び枠部材８と遮光ブロック７との連結固定が容易にできるように構成されている。
【００２０】
次に、遮光ブロック７の構造について詳細に説明する。本実施形態の遮光ブロック７は、厚みが１００μｍ程度の単位プレートＰが８枚積層されて構成される。各単位プレートＰは、鉄板等の金属板に微細加工が可能なエッチング加工によって矩形の光透過窓Ｗが形成されたものであり、表面に黒色シボ加工が施されている。
【００２１】
積層された単位プレートＰの光透過窓Ｗによって、光学レンズアレイ４から受光素子アレイ６へ通じ、各光学レンズ２から出射する光Ａが互いに干渉しないように区画する光透過孔Ｈが形成される。そして、本実施形態では、単位プレートＰが積層されるときに、同一形状の単位プレートＰが左右方向への裏返し及び上下方向への裏返しを施されることによって、光透過窓Ｗの平面方向における位置が層ごとにずらされて、光透過孔Ｈの内壁面Ｈａが凹凸を有する光拡散面に形成される。
【００２２】
以下、同一形状の単位プレートＰを積層して内壁面Ｈａに凹凸を有する光透過孔Ｈを形成する方法について、図５（ａ）乃至図５（ｄ）を参照して具体的に説明する。
【００２３】
図５（ａ）乃至図５（ｄ）の各図は、同一の単位プレートＰについて、図５（ａ）の状態を基準にして上下方向に裏返された状態が図５（ｂ）に示され、この図５（ｂ）の状態から左右方向に裏返された状態が図５（ｃ）に示され、さらに、この図５（ｃ）の状態から上下方向に裏返された状態が図５（ｄ）に示されている。なお、図５（ａ）乃至図５（ｄ）に示される単位プレートＰには、その向きや表面、裏面の区別が容易になるように表面の左下位置に三角マークｍが付されている。
【００２４】
単位プレートＰに開けられる光透過窓Ｗについて、図５（ａ）（基準状態）を参照して説明する。単位プレートＰに形成される光透過窓Ｗは、各光学レンズ２に対向するように３行３列の９箇所に開けられる。各光透過窓Ｗは、単位プレートＰの中心を通る左右方向の中心線Ｓｖに対して左右対称であり、かつ上下方向の中心線Ｓｈに対して上下対称になるように形成される９個の光透過孔Ｈの形成位置ｈ（図５（ａ）において点線で示される）に対して僅かに左方及び下方へ拡大された矩形状に形成される。
【００２５】
換言すると、単位プレートＰに実際に形成される光透過窓Ｗは、単位プレートＰの外形に対して左右対称及び上下対称に形成される光透過孔Ｈの形成位置ｈ（以下、光透過孔形成位置という）に対して左方に寸法ａだけ拡大され、下方に寸法ｂだけ拡大されて形成される。
【００２６】
単位プレートＰは、以上のように形成されるので、図５（ａ）の状態の単位プレートＰが上下裏返されることによって図５（ｂ）の状態になる。この図５（ｂ）の状態では、各光透過窓Ｗは、光透過孔形成位置ｈに対して左方に寸法ａだけ拡大され、上方に寸法ｂだけ拡大されている。
【００２７】
次に、図５（ｂ）の状態の単位プレートＰが左右方向に裏返されることによって図５（ｃ）の状態になる。この図５（ｃ）の状態では、各光透過窓Ｗは、光透過孔形成位置ｈに対して右方に寸法ａだけ拡大され、上方に寸法ｂだけ拡大されている。
【００２８】
同様に、図５（ｃ）の状態の単位プレートＰが上下方向に裏返されることによって図５（ｄ）の状態になる。この図５（ｄ）の状態では、各光透過窓Ｗは、光透過孔形成位置ｈに対して右方に寸法ａだけ拡大され、下方に寸法ｂだけ拡大されている。
【００２９】
以上のように、同一の単位プレートＰを順に左右方向へ裏返し、上下方向へ裏返すことによって、光透過窓Ｗが光透過孔形成位置ｈに対して左下方向へずれた単位プレートＰ（図５（ａ））と、左上方向へずれた単位プレートＰ（図５（ｂ））と、右上方向へずれた単位プレートＰ（図５（ｃ））と、右下方向へずれた単位プレートＰ（図５（ｄ））の、見かけ上４種類の単位プレートＰが準備できることになる。
【００３０】
そして、遮光ブロック７は、見かけ上の光透過窓Ｗの位置が異なる上記４種類の単位プレートＰが順に積層されることによって形成される。具体的には、図５（ａ）に示された単位プレートＰが最下層に配置され、その上に図５（ｂ）に示された単位プレートＰが配置され、以後、図５（ｃ）に示された単位プレートＰ、図５（ｄ）に示された単位プレートＰ、図５（ａ）に示された単位プレートＰ、図５（ｂ）に示された単位プレートＰ、図５（ｃ）に示された単位プレートＰ、図５（ｄ）に示された単位プレートＰ、の順に８枚の単位プレートＰが積層される。
【００３１】
このようにして８枚の単位プレートＰが積層された遮光ブロック７の平面視の状態が図２に示され、図２におけるＩＩＩ−ＩＩＩ線断面が図３に示され、図２におけるＩＶ−ＩＶ線断面が図４に示される。
【００３２】
単位プレートＰが積層されることによって形成される光透過孔Ｈの内壁面Ｈａは、図３及び図４に示されるように、凹凸を有する面に形成され、光学レンズ２から出射して受光素子アレイ６に向かう光Ａのうち光透過孔Ｈの内壁面Ｈａによって反射される光は、凹凸によって拡散される。従って、受光素子アレイ６に形成された像にゴーストやフレアが生じることが防止される。
【００３３】
次に、ホルダ部材５、遮光ブロック７、枠部材８、及び受光素子アレイ６が搭載されたフレキシブル基板１３が一体の複眼撮像装置１に組立てられる工程について説明しておく。
【００３４】
図１に示されるように、別途用意された位置決めピン１００に対して、フレキシブル基板１３、枠部材８、遮光ブロック７、及びホルダ部材５が、この順に挿入される。遮光ブロック７は、上述の通りに、予め８枚の単位プレートＰが積層されて構成される。
【００３５】
フレキシブル基板１３、枠部材８、遮光ブロック７、及びホルダ部材５は、位置決めピン１００に挿入されることによって、各光学レンズ２から出射された光が遮光ブロック７の各光透過孔Ｈを通過して受光素子アレイ６上に正しく結像するように位置決めされる。このとき、遮光ブロック７の高さ（厚さ）が光学レンズ２の焦点距離に対して過大である場合、又は過小である場合には、遮光ブロック７を構成する単位プレートＰの枚数を減少、又は増加することによって容易に調整することができる。
【００３６】
その後、遮光ブロック７の側面に設けられた切欠き部（図示省略）と、枠部材８の側面の切欠き部（図示省略）に対して接着剤の充填が行われ、フレキシブル基板１３、枠部材８、遮光ブロック７、及びホルダ部材５が実質的に一体に固定された上で、位置決めピン１００が、フレキシブル基板１３、枠部材８、遮光ブロック７、及びホルダ部材５から抜脱される。
【００３７】
以上のように、第１の実施形態では、１種類の単位プレートＰを準備するだけでよいので、複数種類の単位プレートを準備する場合に比べて製造コストを抑えることが可能である。
【００３８】
（第２の実施形態）
次に、第２の実施形態について、図６乃至図８を参照して説明する。第２の実施形態に係る複眼撮像装置１は、遮光ブロック７が形状の異なる２種類の単位プレートを積層することによって構成され、その他の部分は第１の実施形態と同一であるので、同一番号を付して説明を省略する。
【００３９】
第２の実施形態の遮光ブロック７を構成する単位プレートは、図７（ａ）に示されるように比較的大きな矩形の光透過窓Ｗ１が形成された第１の単位プレートＰ１と、図７（ｂ）に示されるように比較的小さな矩形の光透過窓Ｗ２が形成された第２の単位プレートＰ２の２種類からなる。第１の単位プレートＰ１と第２の単位プレートＰ２の外形は、同一の形状で同一の大きさである。第１の単位プレートＰ１の光透過窓Ｗ１と、第２の単位プレートＰ２の光透過窓Ｗ２は、その中心位置が同一で相似の形状に形成され、大きさのみが異なる。
【００４０】
そして、遮光ブロック７は、上記２種類の単位プレートＰ１、Ｐ２が交互に積層されることによって形成される。具体的には、図７（ｂ）に示された第２の単位プレートＰ２が最下層に配置され、その上に図７（ａ）に示された第１の単位プレートＰ１が配置され、以後、第２の単位プレートＰ２と第１の単位プレートＰ１が交互に８枚積層される。
【００４１】
このようにして８枚の単位プレートＰ１、Ｐ２が積層された遮光ブロック７の平面視の状態が図６に示され、図６におけるＶＩＩＩ−ＶＩＩＩ線断面が図８に示される。
【００４２】
２種類の単位プレートＰ１、Ｐ２が積層されることによって形成される光透過孔Ｈの内壁面Ｈａは、図８に示されるように、凹凸を有する面に形成され、光学レンズ２から出射して受光素子アレイ６に向かう光Ａのうち光透過孔Ｈの内壁面Ｈａによって反射される光は、凹凸によって拡散される。従って、受光素子アレイ６に形成された像にゴーストやフレアが生じることが防止される。
【００４３】
また、この第２の実施形態においては、光透過孔Ｈが形成される位置が単位プレートＰ１、Ｐ２の中心に対して偏っている場合であっても、支障なく実施可能である。つまり、光透過孔Ｈが形成される位置が、例えば図６に示されるように単位プレートＰ１、Ｐ２の中心に対して左下方向へ偏っている場合には、図７（ａ）に示された１種類の単位プレートＰ１のみを用いて、第１の実施形態のように左右裏返し及び上下裏返しを施して積層すると、形成される光透過孔Ｈの有効な開口面積は、極端に小さくなってしまうか、なくなってしまう虞がある。その点、第２の実施形態においては、上記のように２種類の単位プレートＰ１、Ｐ２が交互に積層されて光透過孔Ｈが極端に小さくなってしまう虞や光透過孔Ｈが形成されないという虞がない。
【００４４】
（第３の実施形態）
次に、第３の実施形態について、図９を参照して説明する。第３の実施形態に係る複眼撮像装置１は、図９に示されるように遮光ブロック７を形成する単位プレートＰに形成された光透過窓Ｗの縁部Ｗａがテーパ形状に形成され、このテーパ形状の光透過窓Ｗの縁部Ｗａ自体によって、光透過孔Ｈの内壁面Ｈａに凹凸が形成される。
【００４５】
単位プレートＰに形成される光透過窓Ｗの位置及び大きさは、各層に亘って同一であっても良いし、第１の実施形態のように、光透過窓Ｗの形成位置が層ごとにずらされていても良い。また、第２の実施形態のように、光透過窓Ｗの大きさが層ごとに異なった大きさに形成されていても良い。
【００４６】
なお、光透過窓Ｗの縁部Ｗａのテーパ形状は、エッチング加工によって形成されたものであっても良いし、先端がテーパ形状を有するドリルを用いて加工されたものであっても良い。
【００４７】
以上のように、いずれの例においても、光透過孔Ｈの内壁面Ｈａが凹凸を有する光拡散面に形成されるので、光学レンズから出射した光Ａのうち光透過孔Ｈの内壁面Ｈａによって反射される光が受光素子アレイ６に到達して受光素子アレイ６に形成された像にゴーストやフレアを生じることが防止される。
【図面の簡単な説明】
【００４８】
【図１】本発明の第１の実施形態に係る複眼撮像装置の組立て時における全体を示す斜視図。
【図２】同複眼撮像装置の遮光ブロックの平面図。
【図３】図２におけるＩＩＩ−ＩＩＩ線断面図。
【図４】図２におけるＩＶ−ＩＶ線断面図。
【図５】（ａ）は、同遮光ブロックを構成する単位プレートの基準状態における平面図、（ｂ）は、（ａ）に示された基準状態における単位プレートが上下方向に裏返された状態の平面図、（ｃ）は、（ｂ）に示された状態における単位プレートが左右方向に裏返された状態の平面図、（ｄ）は、（ｃ）に示された状態における単位プレートが上下方向に裏返された状態の平面図。
【図６】本発明の第２の実施形態に係る複眼撮像装置における遮光ブロックの平面図。
【図７】（ａ）は、同遮光ブロックを構成する第１の単位プレートの平面図、（ｂ）は、同遮光ブロックを構成する第２の単位プレートの平面図。
【図８】図６におけるVIII−VIII線断面図。
【図９】本発明の第３の実施形態に係る複眼撮像装置の断面図。
【図１０】従来の複眼撮像装置の断面図。
【符号の説明】
【００４９】
１  複眼撮像装置
２  光学レンズ
４  光学レンズアレイ
６  受光素子アレイ
７  遮光ブロック
１１  上板部材（絞り部材）
Ａ  光
Ｈ  光透過孔
Ｈａ  内壁面
Ｌ  光軸
Ｐ、Ｐ１、Ｐ２  単位プレート
Ｗ、Ｗ１、Ｗ２  光透過窓
【図１】
2007329714.tif 000003
【図２】
2007329714.tif 000004
【図３】
2007329714.tif 000005
【図４】
2007329714.tif 000006
【図５】
2007329714.tif 000007
【図６】
2007329714.tif 000008
【図７】
2007329714.tif 000009
【図８】
2007329714.tif 000010
【図９】
2007329714.tif 000011
【図１０】
2007329714.tif 000012